(57)【要約】【課題】  ミキサーで粉砕した食物を点滴用カテーテル注射器等を使用して患者の口に注入する方法では、注射器先端の口径が小さく、舌で潰せる程度の食物にも詰まりを起こし利用できない課題を有していた。この課題を克服するため、注射器先端を口径が大きく突き出した形状にした。【解決手段】  介護食事用注射器１の先端射出部に形成した口径が大きく突き出した射出部３と、射出部先端を広げた貫通穴４を形成させた。また、請求項２の幅広に突き出した射出部５には口径を拡大した長穴状の貫通穴６を形成し備えたので吐出用ロッドの先端のパッキン８の不具合もなくなり、舌で潰せる程度の食物にも詰まりを起こさず吸引できる特徴をもつ介護食事用注射器を提供する。【選択図】図３
2014113432.tif 000002
【特許請求の範囲】
【請求項１】
介護食事用に備えた注射器先端に形成した口径が大きく突き出した射出部と、該射出部に先端を広げた貫通穴とを備えたことを特徴とする介護食事用注射器。
【請求項２】
前記、注射器先端に形成した口径が大きく幅広に突き出した射出部と、該射出部に備えた口径を拡大した長穴状の貫通穴とを備えたことを特徴とする請求項１に記載する介護食事用注射器。
【発明の詳細な説明】
【発明の詳細な説明】
【技術分野】
【０００１】  本発明は、介護食事時、食事が気管に侵入することで、むせを誘発させ、患者が食欲減退するのを防止することを目的に、直接、患者の舌の中部に食事を注射器で射出するように開発した介護食事用注射器に関する。
【背景技術】
【０００２】  従来はミキサーで粉砕した食物を点滴用カテーテル注射器等を使用して患者の口に注入していたが、該注射器は注射器先端の口径が小さく、全粥のご飯や、舌で潰せる程度のおかずにも詰まりを起こし利用できず、また、七分粥であっても吸引圧力により、内部のパッキンと吐出用ロッドとを分離させるものであった。
【発明が解決しようとする課題】
【０００３】  しかし、そのような方法では常に新しい注射器との交換が余儀なくされると共に全粥のご飯や、舌で潰せる程度のおかずも食べることができないという課題を有していた。一方、介護現場では時間をかけずに全粥のご飯や、舌で潰せる程度の固形のおかずでも食事出来る介護食事用注射器の開発が望まれていた。
【０００４】  そこで、本発明者は介護食事用注射器において、前記課題を解消させるため、注射器先端に形成した口径が大きく突き出した射出部と、該射出部に先端を広げた貫通穴とを備えた構成にしたので、注射器先端に形成した口径が大きく突き出した射出部は全粥のご飯や、ミキサーで砕いた食物にも詰まりを起こさず吸引でき、また、吸引圧力により、内部のパッキンと吐出用ロッドとを分離させることもなくなった。しかも、患者の口に挿入時に患者の舌で注射器先端を閉ざすことによる食物侵入の拒絶することをなくした特徴がある。以上のことにより、患者の食道にスムースに食物を導くことで栄養不足による嚥下障害の解消に有効になった。このような介護食事用注射器を提供するべく鋭意研究を重ねた結果本発明に至ったのである。
【０００５】  また、本発明に係る介護食事用注射器において、注射器先端に形成した口径が大きく幅広に突き出した射出部と、該射出部に備えた口径を拡大した長穴状の貫通穴とを備えたので、注射器先端の幅広に突き出した射出部は患者の口に挿入時に患者の舌で食物侵入を拒絶することをなくし、射出部に備えた口径を拡大した長穴状の貫通穴はユニバーサルデザインフード区分３の食物でも吸引することができ、患者の食道にスムースに導き、全粥のご飯や、舌で潰せる程度のおかずでもパッキンと吐出用ロッドとを分離させることなく容易に注入できる特徴がある。
【課題を解決するための手段】
【０００６】  本発明に係る介護食事用注射器の要旨とするところは、介護食事用に備えた注射器先端に形成した口径が大きく突き出した射出部と、該射出部に備えた先端を広げた貫通穴とを備え構成されたので、注射器先端の口径が大きく突き出した射出部は全粥のご飯や、ミキサーで砕いた食物にも詰まりを起こさず吸引する。また、先端を広げた貫通穴は食事を広範囲に注射器に吸引できる。これにより患者の舌の中部に食物を侵入させることができるため、注射器の先端を舌で閉ざすことが不可能になり、患者の食道にスムースに導き、食物を拒絶することをなくしたので介護患者の食欲を増進させたため、喉の筋力低下のため栄養不足による嚥下障害の解消に有効になった。
【０００７】  また、本発明に係る介護食事用注射器において、注射器先端に形成した口径が大きく幅広に突き出した射出部と、該射出部に備えた口径を拡大した長穴状の貫通穴とを有し備えたことにより、長穴状の貫通穴は全粥のご飯や、ユニバーサルデザインフード区分３の食物の舌で潰せる程度のおかずでもパッキンと吐出用ロッドとを分離させることなく容易に吸引できるようになった。
【発明を実施するための形態】
【０００８】  本発明に係る介護食事用注射器は、点滴用カテーテル注射器の射出部に備えた小さい注出口径を改善し、口径が大きく突き出した射出部と、先端を広げた貫通穴とを形成した。これにより、味のない嫌いな食事を食べることができないという課題を有していた介護患者は、食事の際、口元に食事が運ばれてくると、自然と口をつぐみ食事を口の中に侵入するのを拒否していたが、口径が大きな射出部は舌の中部まで食事を導き、射出させるため、適格に患者の食道に食事を時間をかけずに容易に注入出来る。また、全粥のご飯や、舌で潰せる程度のおかずでも注入できるので食事による栄養障害によるサイコペニア等の病を減少させることができる。
【０００９】  また、注射器先端に形成した口径が大きく幅広に突き出した射出部と、該射出部に備えた口径を拡大した長穴状の貫通穴とを有し備えた本発明の介護食事用注射器は、口径を拡大した長穴状の貫通穴は全粥のご飯や、今まで患者が食すことが容易でなかったユニバーサルデザインフード区分３の食物の舌で潰せる程度のおかずでも容易に吸引することが可能になり注射器のパッキンと吐出用ロッドとを分離させることなく吸引できるようになった。
【実施例】
【００１０】  次に、本発明に係る介護食事用注射器の実施例について、図面に基づいて詳しく説明する。【００１１】  図１、図２、図３において、符号１は本発明に係る介護食事用注射器である。この介護食事用注射器１は、点滴用カテーテル注射器２の先端射出部に形成した口径が大きく突き出した射出部３と、射出部先端を広げた貫通穴４を持つ。また、幅広に突き出した射出部５には口径を拡大した長穴状の貫通穴６を形成する。７は吐出用ロッドで、先端にパッキン８を挿入し、食物を洩れなく射出するように配置されている。９は介護患者の舌を示す。
【発明の効果】
【００１２】  本発明に係る介護食事用注射器によれば、食事の際、嫌いな食事でも患者の舌の中部まで食物を注入できるので、患者の舌で食事を拒絶することなく食事時、むせを誘発することなく患者の食道にスムースに導くことが出来た。また、全粥のご飯や、舌で潰せる程度のおかずでも詰まりを起こさず注入できるので、栄養障害によるサイコペニア等の病を減少させることができる。また、介護患者の食欲を増進させたため、栄養不足による嚥下障害の解消に有効になった。本発明の介護食事用注射器は全粥のご飯や、今まで患者が食すことが容易でなかったユニバーサルデザインフード区分３の食物の舌で潰せる程度のおかずでも容易に吸引することが可能になり、注射器のパッキンと吐出用ロッドとを分離させることなく吸引できるようになった。
【図面の簡単な説明】
【図１】  本発明に係る請求項１の一実施例を示す要部斜視図である。
【図２】  本発明に係る請求項２の一実施例を示す要部斜視図である。
【図３】  本発明に係る一実施例の要部断面図である。
【符号の説明】  １  介護食事用注射器
３  口径が大きく突き出した射出部
４  先端を広げた貫通穴
５  口径が大きく幅広に突き出した射出部
６  口径を拡大した長穴状の貫通穴
８  パッキン
【図１】
2014113432.tif 000003
【図２】
2014113432.tif 000004
【図３】
2014113432.tif 000005